(57)【要約】【課題】  トンネル側壁の赤色表示灯が壁面清掃車による機械清掃によって十分に清掃されないといった問題があった。【解決手段】  トンネル側壁に取り付けられる赤色表示灯の清掃ユニットであって、前記赤色表示灯の頂上部と基部に取り付けられユニットを保持する固定部と、前記固定部の間に前記赤色表示灯に対し回転可能な状態で差し渡しされ、その下部に前記赤色表示灯の外周を清掃する清掃材を設けると共に、その外周部に壁面清掃車の清掃用ブラシに当接して回転力を与えるための突起を備えた複数の回転部とを具備した赤色表示灯用清掃ユニットである。【選択図】    図３
2007227051.tif 000002
【特許請求の範囲】
【請求項１】
トンネル側壁に取り付けられる赤色表示灯の清掃ユニットであって、
前記赤色表示灯の頂上部と基部に取り付けられユニットを保持する固定部と、
前記固定部の間に前記赤色表示灯に対し回転可能な状態で差し渡しされ、その下部に前記赤色表示灯の外周を清掃する清掃材を設けると共に、その外周部に壁面清掃車の清掃用ブラシに当接して回転力を与えるための突起を備えた複数の回転部とを具備し、
前記回転部の回転により前記清掃材によって赤色表示灯の外周を清掃することを特徴とする赤色表示灯用清掃ユニット。
【請求項２】
前記赤色表示灯の基部側に取り付けられた固定部には、前記回転部の一方向のみの回転を可能とする回転方向規制構造を備えたことを特徴とする請求項１に記載の赤色表示灯用清掃ユニット。
【請求項３】
前記固定部の何れかには前記回転部の特定角度に対する回転を可能とする回転角度規制構造を備えたことを特徴とする請求項１に記載の赤色表示灯用清掃ユニット。
【発明の詳細な説明】
【技術分野】
【０００１】
本発明は、トンネル内において消防用設備の位置を知らせるための赤色表示灯を清掃する赤色表示灯用清掃ユニットに関する。
【背景技術】
【０００２】
トンネル側壁には、事故や火災を通報する押釦発信機などの消防用設備の位置を知らせるための赤色表示灯が用いられている。この赤色表示灯は、トンネル内を走行するドライバーから見易くするために、卵形の半球がトンネル側壁から突出した状態で取り付けられている。そのために、トンネル側壁を清掃する壁面清掃車による機械清掃を行っても清掃車の進行方向の反対側の赤色表示灯の半面が清掃用ブラシによって洗浄されないといった問題があり、トンネル設備の保守作業員が洗浄後に清掃を行っていた。
【０００３】
一方、赤色表示灯が清掃されない問題を解決する提案としては、例えば、特開２００１−３５１４０３号公報に開示された発明がある。この発明は、前記した卵形半球形状の赤色表示灯の上部をカットし、円錐台形の形状としトンネル側壁からの突出を抑えると共に、内部に車両の進行方向に対する集光を目的とするプリズムを配置したものである。
【特許文献１】特開２００１−３５１４０３号公報
【発明の開示】
【発明が解決しようとする課題】
【０００４】
ところで、前記した円錐台形の構造により赤色表示灯が清掃されない不備を解決しようとする提案にあっても、壁面清掃車のドラム状の清掃用ブラシが前記した進行方向の反対の面に当たらない点については解決されず、上部をカットしたことによる視認低下と相まってより一層赤色表示灯に対する視認性を低下させるといった問題が発生する。
【０００５】
本発明は、前記した問題点を解決せんとするもので、現状の突起した赤色表示灯による視認の優位性を損なうことなく、現状の壁面清掃車の機械清掃によって清掃されなかった進行方向の反対の面を清掃可能な補助具としての赤色表示灯用清掃ユニットを提供せんとするにある。
【課題を解決するための手段】
【０００６】
本発明の赤色表示灯用清掃ユニットは前記した目的を達成せんとするもので、請求項１の手段は、トンネル側壁に取り付けられる赤色表示灯の清掃ユニットであって、前記赤色表示灯の頂上部と基部に取り付けられユニットを保持する固定部と、前記固定部の間に前記赤色表示灯に対し回転可能な状態で差し渡しされ、その下部に前記赤色表示灯の外周を清掃する清掃材を設けると共に、その外周部に壁面清掃車の清掃用ブラシに当接して回転力を与えるための突起を備えた複数の回転部とから構成したことを特徴とする。
【０００７】
請求項２の手段は、前記した請求項１において、前記赤色表示灯の基部側に取り付けられた固定部には、前記回転部の一方向のみの回転を可能とする回転方向規制構造を備えたことを特徴とする。
【０００８】
請求項３の手段は、前記した請求項１において、前記固定部の何れかには前記回転部の特定角度に対する回転を可能とする回転角度規制構造を備えたことを特徴とする。
【発明の効果】
【０００９】
本発明の赤色表示灯用清掃ユニットは前記したように、壁面清掃車の清掃用ブラシによる洗浄中に回転するブラシが回転部外周に備えた突起に当たり回転部を回転させることで、回転部に設けた清掃材により赤色表示灯の全周が拭き取られるため、従来清掃ができなかった赤色表示灯の進行方向反対面の清掃を確実に実施することができる効果を有するものである。また、本発明の赤色表示灯用清掃ユニットは、赤色表示灯に対して２つの固定部を接着して取り付ける構造であるため、トンネル内に既設の赤色表示灯に対して後付けができる効果を有する。
【００１０】
また、回転部の一方向のみの回転を可能とする回転方向規制構造を備えたことにより、ブラシが回転部外周に備えた突起に対して加えた力が常に一方向に対する安定した回転力に変えられるため清掃材によって赤色表示灯の外周面を効率良く拭き取ることができるといった効果を有する。
【００１１】
また、回転部の特定角度に対する回転を可能とすると共に元の位置に復帰する回転角度規制構造を備えたことにより、清掃用ブラシによる洗浄後には回転部が常に同じ位置を保持するため、清掃ユニットが赤色表示灯の視認の妨げになることがないといった効果を有する。
【本発明を実施するための最良の形態】
【００１２】
本発明は、赤色表示灯の頂上部と基部に取り付けられる固定部に複数の回転部を共架することにより回転部を堅固に支持すると共に、回転部の外周に設けた突起により洗浄中のブラシの回転力を最初に受け止めて回転部の回転力に変換させ、赤色表示灯に当接させた回転部の清掃材により赤色表示灯の外周を清掃する構造とする。
【実施例１】
【００１３】
以下、本発明に係る赤色表示灯用清掃ユニットの一実施例を図面と共に説明する。
図１は、赤色表示灯２０が複数の消火器を収容した消防用設備としての消火器ボックス１００に取り付けられた例を表している。
ただし、赤色表示灯２０は図１の設備に使用されるものに限定されないことは言うまでもなく、トンネル壁面から突出して取り付けられる赤色表示灯に対しては本発明の赤色表示灯用清掃ユニットが全て適用可能である。
【００１４】
１０は本発明の赤色表示灯用清掃ユニットで、３０と４０はそれぞれ火災を通報する押釦発信機と消火器の収容部を表している。
図２は赤色表示灯用清掃ユニットの正面図で、図３は赤色表示灯２０と赤色表示灯用清掃ユニット１０を垂直に見た場合の一部側断面を表している。
【００１５】
図３において、１１Ａ１と１１Ｂは赤色表示灯２０に接着剤などによって固定された固定部。１２は、アルミ材などから形成された回転部で、その外周に突起１２a を有している。
なお、固定部１１Ａ１には、回転部１２の一端を固定したリング１４を摺動回転させるための溝が設けられている。また、固定部１１Ｂは凹状の形状を有しており、回転部１２の一端に付けられたローラ１５が前記の凹状の溝内を回転する構造になっている。
【００１６】
１３は回転部１２に固定された清掃材で、自動車のワイパーブレードのようなゴム材からなっている。１６は、回転方向規制構造の一例を表しており、図４（ａ）（ｂ）に示すように一方の傾斜が他方の傾斜に対して緩くなっており、ローラ１５の右方向（時計方向）の回転に対する抵抗が少ない構造となっている。
なお、図４（ａ）は、固定部１１Ｂを赤色表示灯２０の頂上部から見た場合の断面図を表しており、図４（ｂ）はその状態における左側断面図を表している。２１は赤色の透明樹脂体を、２２は赤色表示灯の内部に配置された発光ダイオードをそれぞれ表している。
【００１７】
なお、前記清掃材は、耐久性と汚れの付着を考慮した場合にゴム材が望ましいが、ゴム材である必要は無く、赤色表示灯の外周面を拭き取ることができる素材であればよい。
また、回転方向規制構造は、一方向の回転が容易な構造であればよく、固定部１１Ｂの凹状の内部底面に設ける必要はなく、凹状の内部背面（壁面側）に縦に配置してもよい。また、ラチエットのような一方向のみに滑らかに回転する構造を採用することも可能である。
【００１８】
次に、前記の構成からなる赤色表示灯用清掃ユニットの動作を説明するに、壁面清掃車の清掃用ブラシが何れかの回転部１２の突起１２a に当たると回転力が働くが、図４に示した回転方向規制構造１６によって反時計方向には大きな回転抵抗力が掛かるため、突起１２a による時計方向の回転力が加わった状態で回転部１２が回転を始め、前記壁面清掃車の回転ブラシが赤色表示灯を通過する間に回転部１２による全周に対する回転が複数回繰り返される。
【００１９】
このとき、回転部１２の下に取り付けられた清掃材１３は、アルミ材からなる回転部１２の内側に働くバネ力によって赤色表示灯２０の外周面に押し当てられた状態で回転し、洗浄剤の洗浄効果によって外周面がきれいに清掃される。
【実施例２】
【００２０】
次に、本発明の別の実施形態について説明する。
この実施形態は、本発明の清掃ユニットの回転部１２が赤色表示灯２０の視認の妨げになることを防止することを目的とするもので、回転部１２が常に図２に示す位置に復帰することを特徴とする。
【００２１】
なお、実施例２は、図３と図４に示した回転方向規制構造１６を備えないことと、図２に示す固定部１１Ａ１の構造が図５に示す１１Ａ２の構造と異なること以外は全て実施例１の構成に同じである。
図５は回転角度規制構造の説明図で、図２と同様に固定部１１Ａ２の一部断面によって表わしている。そして、回転角度規制構造は支持体１７と固定部本体１８とコイルバネ１９によって構成され、回転部１２を取り付けた中空の支持体１７には、一端が固定部本体１８に固定されたコイルバネ１９が係止されている。
この構成により、回転部１２が時計方向に回転した場合にコイルバネ１９が回転圧縮され、時計方向の回転力が無くなった場合に圧縮されたコイルバネ１９の復元力によって反時計方向に回転し回転部１２を図２で示した元の位置に復帰させる。
【００２２】
なお、この場合に回転部１２を元の位置を超えて回転しないための図示しないストッパを固定部１１Ｂの内部背面に取り付けるようにしてもよい。
また、回転角度規制構造は、前記のように赤色表示灯の頂上部側の固定部１１Ａに限定されるものではなく、基部側の固定部１１Ｂに設けてもよく、例えば、前記したストッパにより所定位置からの反時計方向の回転を規制すると共に固定部１１Ｂと突起１２ａとを引張バネなどによって接続し、引張バネが前記凹状の内部底面に沿って時計方向に伸びた場合に反時計方向に復元する力が前記突起１２ａに働き図２に示す位置に回転部１２を復帰させたり、下側に位置する回転部１２を重くし自重を利用して元の位置に復帰させるなど、種々の構成を採用することが可能である。
【図面の簡単な説明】
【００２３】
【図１】消火器ボックスの正面図である。
【図２】赤色表示灯に赤色表示灯用清掃ユニットを取り付けた状態の正面図である。
【図３】同上の一部断面図である。
【図４】回転方向規制構造を表す説明図である。
【図５】回転角度規制構造を表す説明図である。
【符号の説明】
【００２４】
１０  赤色表示灯用清掃ユニット
１１Ａ１  固定部
１１Ａ２  固定部
１１Ｂ    固定部
１２      回転部
１２ａ    突起部
１３      清掃材
２０      赤色表示灯
【図３】
2007227051.tif 000003
【図４】
2007227051.tif 000004
【図５】
2007227051.tif 000005
【図１】
2007227051.tif 000006
【図２】
2007227051.tif 000007